(57)【要約】【課題】  複数のキーを具備する操作部と、上記キー操作を無効化するキー操作無効化設定手段と、上記キー操作の無効化を解除するキー操作無効化解除手段とを具備する端末装置において、掃除等した後にキーの無効化解除操作を忘れても、所定時間が経過した後に、キーの無効化が、自動的に解除されるという利便性を維持しつつ、子供のいたずら等による誤操作、誤接続を防止することができる端末装置を提供することを目的とするものである。【解決手段】  複数のキーを具備する操作部と、上記キー操作を無効化するキー操作無効化設定手段と、上記キー操作の無効化を解除するキー操作無効化解除手段とを具備する端末装置において、上記キー操作無効化設定手段は、複数のキー操作無効化方式のうちで、１つのキー操作無効化方式を用いてキー操作の無効化を設定する手段である。【選択図】  図１
2005123847.tif 000002
【特許請求の範囲】
【請求項１】
複数のキーを具備する操作部と、上記キー操作を無効化するキー操作無効化設定手段と、上記キー操作の無効化を解除するキー操作無効化解除手段とを具備する端末装置において、
上記キー操作無効化設定手段は、複数のキー操作無効化方式のうちで、１つのキー操作無効化方式を用いてキー操作の無効化を設定する手段であることを特徴とする端末装置。
【請求項２】
請求項１において、
上記複数のキー操作無効化方式は、所定時間だけ上記キーの操作の無効状態を維持する方式と、上記操作部の所定のキー操作がなされるまで上記キーの操作の無効状態を維持する方式とであることを特徴とする端末装置。
【発明の詳細な説明】
【技術分野】
【０００１】
本発明は、複数のキーを備えたファクシミリ等の装置のキー入力を、無効とするキー入力無効制御方式に関するものである。
【背景技術】
【０００２】
従来、複数のキーを具備する操作部を有する電話機において、キーの無効化の操作がされた後に、所定時間が経過するまで、または、キーの無効化解除操作がなされるまで、上記操作部のキー入力操作を無効にするキー入力無効制御方式が知られている（たとえば、特許文献１参照）。
【０００３】
たとえば、キーの無効化操作をすれば、電話機を掃除する際、誤接続されることを防止することができ、また、不必要な処理が実行されることを防止することができる。
【０００４】
また、掃除した後に、仮にキーの無効化解除操作を忘れても、タイマによって、所定時間が経過した後に、キーの無効化が、自動的に解除されるという利便性がある。
【特許文献１】特開昭６４−３６１５５号公報
【発明の開示】
【発明が解決しようとする課題】
【０００５】
上記従来技術では、所定の時間、キーを無効にするようにしているが、掃除等を目的とする場合、キーを無効にする時間は、数秒または数分の短時間で足りる。
【０００６】
しかし、上記従来例では、所定時間経過した後に、キーの無効化を解除するので、上記所定時間が経過した後には、子供のいたずら等による誤操作、誤接続が発生し、誤操作、誤接続を確実に防止ことができないという問題がある。
【０００７】
上記従来例において、上記タイマによる所定時間が経過した後に、キーの無効化を自動的に解除するのではなく、タイマを使用せずに、普段は、キーを無効状態にし、装置を使用するときにのみ、キーの無効化を解除する方法が考えられ、この方法にすれば、子供のいたずら等による誤操作、誤接続を防止することができる。
【０００８】
しかし、この方法では、掃除等した後にキーの無効化解除操作を忘れても、所定時間が経過した後に、キーの無効化が、自動的に解除されるという利便性がなくなるという問題がある。
【０００９】
本発明は、掃除等した後にキーの無効化解除操作を忘れても、所定時間が経過した後に、キーの無効化が、自動的に解除されるという利便性を維持しつつ、子供のいたずら等による誤操作、誤接続を防止することができる端末装置を提供することを目的とするものである。
【課題を解決するための手段】
【００１０】
本発明は、複数のキーを具備する操作部と、上記キー操作を無効化するキー操作無効化設定手段と、上記キー操作の無効化を解除するキー操作無効化解除手段とを具備する端末装置において、上記キー操作無効化設定手段は、複数のキー操作無効化方式のうちで、１つのキー操作無効化方式を用いてキー操作の無効化を設定する手段である。
【発明の効果】
【００１１】
本発明によれば、掃除等した後にキーの無効化解除操作を忘れても、所定時間が経過した後に、キーの無効化が、自動的に解除されるという利便性を維持しつつ、子供のいたずら等による誤操作、誤接続を防止することができるという効果を奏する。
【発明を実施するための最良の形態】
【００１２】
発明を実施するための最良の形態は、以下の実施例である。
【実施例１】
【００１３】
図１は、本発明の実施例１であるファクシミリ装置ＦＳ１の構成を示す構成図である。
【００１４】
ファクシミリ装置ＦＳ１は、原稿を読み取る読取部１と、読み取った原稿を記憶する画像記憶部２と、符号化／復号化部３と、記録部４と、操作部５と、中央処理部６と、回線制御部７と、配線９とを有し、回線ケーブル８に接続されている。
【００１５】
符号化／復号化部３は、原稿を送信する際に、読み取った画像データを、ＭＨやＭＲに符号化し、符号化された状態で、受信した画像データを、復号化する。
【００１６】
記録部４は、復号化された画像データを紙に記録する。操作部５は、操作者が送信操作等、登録操作等、様々な操作を行う操作部であり、テンキー等の押しボタンスイッチ、液晶ディスプレー等を有する。
【００１７】
中央処理部６は、ＣＰＵ６１と、ＲＯＭ６２と、ＲＡＭ６３と、タイマ用ＩＣ６４とを有する。
【００１８】
ＣＰＵ６１は、ファクシミリ装置ＦＳ１が動作するためのプログラムを実行するＣＰＵである。ＲＯＭ６２は、ファクシミリ装置ＦＳ１のプログラムが記憶されているメモリである。ＲＡＭ６３は、ＣＰＵ６１が動作するときのワークエリアとして使用される半導体のメモリである。なお、ＲＡＭ６３の一部は、宛先情報や登録情報を保持するために、バッテリによってバックアップされている。タイマ用ＩＣ６４は、カレンダー表示等に使用されるＩＣである。
【００１９】
回線制御部７は、外部のファクシミリ装置と通信するための回線制御部であり、モデムや、ダイヤリングのためのリレー等によって構成されている。
【００２０】
回線ケーブル８は、回線制御部７に接続される回線ケーブルである。配線９は、各部を接続する配線である。
【００２１】
図２は、ファクシミリ装置ＦＳ１における操作部５の具体例を示すブロック図である。
【００２２】
操作部５は、液晶ディスプレー５１と、テンキー５２と、機能キー５３と、マルチキー５４と、セットキー５５と、十字キー５６とを有する。十字キー５６は、上下左右の方向に押下することができる。
【００２３】
なお、ファクシミリ装置ＦＳ１の構成要素の相対配置、表示画面等は、上記以外の相対配置、表示画面等を採用するようにしてもよい。
【００２４】
次に、上記実施例の動作について説明する。
【００２５】
図３は、上記実施例において、キー無効化（以下、「キーロック」とする）方式を、操作者が選択し、ファクシミリ装置ＦＳ１に登録する操作を示すフローチャートである。
【００２６】
図３に示す処理がプログラムされ、このプログラムがＲＯＭ６２に記憶されている。
【００２７】
図４、図５は、ファクシミリ装置ＦＳ１における液晶ディスプレー５１の画面を示す図である。
【００２８】
ファクシミリ装置ＦＳ１は、待機中、図４に示す画面Ｇ１の時刻表示になっている。操作者が、キーロック方式を変更する場合、機能キー５３を押下する。この押下によって、画面Ｇ２のメニュー画面を表示する（Ｓ１）。
【００２９】
Ｓ２では、終了キー（Ｆ４キー）５４が押下された場合、Ｓ３に進み、時刻画面Ｇ１を表示し、待機状態に戻る（Ｓ１２）。Ｓ２で、十字キー５６が押下され、ライフサポートを選択し、セットキー５５が押下されると、ライフサポートのサブメニュー画面Ｇ３を表示する（Ｓ４）。
【００３０】
Ｓ５では、キーロック方式以外の登録操作を実行すれば、Ｓ６を経て、その他の登録操作を行う（Ｓ７）。Ｓ５で、キーロック方式を登録操作する場合、Ｓ８に進み、図５に示す画面Ｇ４を表示する。
【００３１】
画面Ｇ４で、［おそうじモード］を方式１、［チャイルドロック］を方式２とする。上記「おそうじモード」は、タイマ用ＩＣ６４によって、後述する設定されたタイマ値がタイムアウトになると、キーロックを解除する方式である。上記「チャイルドロック」は、キーロック設定後に、操作部５によって所定の操作がなされるまで、キーロック状態を維持する方式である。
【００３２】
画面Ｇ４では、上記方式２が２重丸でマークされ、上記方式２が登録されていることを示す。十字キー５６を上下することによって、上記マークが入れ替わり、マークされている方式で、セットキー５５を押下すると、キーロック方式を登録することができる（Ｓ９、Ｓ１０）。
【００３３】
キーロック方式の登録内容が、バッテリバックアップされているＲＡＭ６３に記憶される。そして、図５に示す画面Ｇ５の［登録しました］を表示する（Ｓ１１）。画面Ｇ５を、２秒間、表示した後に、図５に示す画面Ｇ６を表示し、待機状態に戻る（Ｓ１２）。
【００３４】
図６は、上記実施例において、キーロックに設定する処理と、キーロックを解除する処理と、キーロック中、キーを無効化する動作を示すフローチャートである。
【００３５】
Ｓ３１では、キー操作がなされると、Ｓ３２に進む。Ｓ３２では、＃キー５２が２秒間以上、連続的に押下されると、キーロックの解除または設定の操作であるので、Ｓ３３に進む。
【００３６】
Ｓ３３では、キーの無効化フラグを判定する。キーの無効化フラグは、ＲＡＭ６３に記憶され、上記キーの無効化フラグがＯＮであれば、キー無効化状態であることを意味し、上記キーの無効化フラグがＯＦＦであれば、キーが有効な状態であることを意味する。
【００３７】
ここで、上記キーの無効化フラグがＯＦＦであれば、フラグをＯＮにし、キー無効状態（画面Ｇ６）を液晶ディスプレー５１に表示する（Ｓ３４、Ｓ３５）。一方、Ｓ３３では、上記キーの無効化フラグがＯＮであれば、同フラグをＯＦＦにし、キー無効状態（画面Ｇ６）を液晶ディスプレー５１から消去する（Ｓ３６、Ｓ３７）。すなわち、この画面は、画面Ｇ１のようになる。
【００３８】
Ｓ３８では、キーロック方式を判定する。キーロック方式の登録内容は、ＲＡＭ６３に記憶されている。キーロック方式が、上記方式１であれば、Ｓ３９に進み、たとえば３分間のタイマ値を設定し、計時を開始する。キーロック方式が、上記方式２であれば、Ｓ４０に進み、キーロックのタイマを計時せず、もし、タイマが動作していれば、タイマを停止する（Ｓ４０）。もし、キーロック中に、キーが操作されれば、Ｓ３１、Ｓ３２、Ｓ４１に進む。
【００３９】
Ｓ４１では、キーロック中は、キー無効化フラグがＯＮであるので、何もせずに処理を抜ける。すなわち、キー操作が無視される。逆に、キーロック中でないときにキーが操作されると、キー無効化フラグがＯＦＦであるので、Ｓ４２に進み。そのキーに応じた処理を行う（Ｓ４２）。
【００４０】
次に、キーロック方式が、上記方式１であり、タイマがタイムアウトすれば、自動的にキーロック状態を解除する処理について、説明する。
【００４１】
キーロック中で、たとえば３分間のタイマがかかっていた場合、Ｓ３１、Ｓ４３に進み、タイムアウトが発生していない場合は、そのまま処理を抜ける。タイムアウトが発生した場合は、Ｓ３６に進み、上記のように、キーロック中が解除される。
【００４２】
上記実施例は、複数のキーを具備する操作部と、上記複数のキーを無効化する手段と、キーの無効化を解除する手段とを具備する端末装置において、キー無効化状態になってから計時手段で計時し、所定時間が経過した後に、キー無効状態を自動的に解除する方式と、キー無効化状態にしたら、キー無効化解除操作を行わないと解除しない方式との複数の方式を持ち、キー無効化方式を入力する手段によって、ユーザが、複数方式の中の１つの方式を選択する例である。
【００４３】
上記実施例によれば、ユーザは、自分の目的に応じて、キー無効化の方式を選ぶことができるので、ユーザの利便性がさらに向上する。たとえば、キー無効化の目的が、掃除のときの誤操作、誤接続を防止することであれば、キー無効化状態に設定し、所定の時間、キー無効化状態にし、その間に掃除を終了すれば足りる。また、所定時間が経過した後に、キー無効化状態が、自動的に解除される方式を選べばよい。これによって、キー無効化解除を忘れても、問題が生じない。
【００４４】
一方、キー無効化の目的が、子供のいたずらを防止することであれば、タイマによるキー無効化状態解除の処理を行わないで、普段は、キー無効化状態にし、端末装置を使用するときにだけ、キー無効化状態を解除する方式を選べばよい。これによって、子供のいたずら等があっても、ファクシミリ装置ＦＳ１の電話帳データが削除されたり、回線への誤接続によって相手に迷惑をかけたり、さらに、不要な電話料金が発生するという問題が生じない、
【図面の簡単な説明】
【００４５】
【図１】本発明の実施例１であるファクシミリ装置ＦＳ１の構成を示す構成図である。
【図２】ファクシミリ装置ＦＳ１における操作部５の具体例を示すブロック図である。
【図３】上記実施例において、キー無効化方式（キーロック方式）を、操作者が選択し、ファクシミリ装置ＦＳ１に登録する操作を示すフローチャートである。
【図４】ファクシミリ装置ＦＳ１における液晶ディスプレー５１の画面を示す図である。
【図５】ファクシミリ装置ＦＳ１における液晶ディスプレー５１の画面を示す図である。
【図６】上記実施例において、キーロックに設定する処理と、キーロックを解除する処理と、キーロック中、キーを無効化する動作を示すフローチャートである。
【符号の説明】
【００４６】
ＦＳ１…ファクシミリ装置、
１…読取部、
２…画像記憶部、
３…符号化／復号化部、
４…記録部、
５…操作部、
６…中央処理部、
７…回線制御部。
【図１】
2005123847.tif 000003
【図２】
2005123847.tif 000004
【図３】
2005123847.tif 000005
【図４】
2005123847.tif 000006
【図５】
2005123847.tif 000007
【図６】
2005123847.tif 000008